(57)【特許請求の範囲】
【請求項１】
切断部が互いに当接する位置まで移動する一対の鉄筋棒状部材切断刃において、
前記一対の棒状部材切断刃は、水平面に対し角度θ＋αを有する第１の傾斜面が形成された略台形状のブロックの、前記第１の傾斜面の下方部分を削除して、前記削除された部分に角度θの第２の傾斜面を有する切断部と、第１の傾斜面の途中の、前記切断部から切断される棒状部材の軸線方向に離れた位置に、前記切断部が互いに当接したとき、切断される棒状部材の一部に食い込む突部が一体的に形成されていることを特徴とする鉄筋棒状部材切断刃。
【請求項２】
一対の突部は、一対の切断部が互いに当接したとき、相対向する位置で所定の間隔を有するように設けられていることを特徴とする請求項１記載の鉄筋棒状部材切断刃。
【請求項３】
突部は、切断される棒状部材の軸線方向に互いに間隔をおいて複数設けられていることを特徴とする請求項１記載の鉄筋棒状部材切断刃。
【請求項４】
複数の突部は、切断部から、切断される棒状部材の軸線方向に遠ざかるに従い、その相対向する間隔が大きくなるように設けられていることを特徴とする請求項３記載の鉄筋棒状部材切断刃。
【請求項５】
傾斜面の角度θは２０−４０度であることを特徴とする請求項１記載の鉄筋棒状部材切断刃。
【請求項６】
一対の互いに近づく方向に往復移動するアームの先端部にそれぞれ請求項１記載の切断刃を装着したものからなる鉄筋棒状部材切断装置。
【請求項７】
一対のアームは携帯可能な油圧作動装置により駆動されることを特徴とする請求項６記載の鉄筋棒状部材切断装置。
【発明の詳細な説明】
【技術分野】
【０００１】
本発明は、棒状部材の切断に用いる切断刃およびその切断刃が装着された切断装置に係わり、とりわけコンクリートに植設された鉄筋を切断するのに適した切断刃および切断装置に関する。
【背景技術】
【０００２】
コンクリートに植設された鉄筋を、コンクリート面から突出した残部を残すことなくコンクリート面とほぼ面位置で切断するための切断刃は、コンクリート面と平行になる水平面を有する切断刃でなければならない。そのため切断刃は、水平面と、この水平面から角度を有して傾斜する傾斜面の先端に切断部を形成したものからなり、この切断刃を相対向する位置に一対配置し、切断部が互いに当接する位置まで移動して、鉄筋を切断するようになっている。
【０００３】
この切断刃は、鉄筋のように堅い材料を切断し、また切断時に切断部が互いに当接することから、切断時に切断刃に対してきわめて大きな外力が作用する。このため傾斜面の角度は、通常のスライド式の切断刃あるいは合成樹脂部材などを切断する切断刃に比べ大きくする必要がある。
【０００４】
しかしながら、切断部の傾斜角度が大きくなれば、切断時に、切断される棒状部材（鉄筋）の軸線方向に作用する分力が大きくなり、棒状部材が切断された瞬間、その大きな分力により、切断片が軸線方向に飛ぶという作用を生じる。切断片の飛ぶ距離は、数メートルから数十メートルに及ぶこともあり、作業者あるいは周囲の人々にとって危険であり、また天井、壁などを損傷することもある。
【０００５】
そのため、従来の切断装置においては、切断刃をカバーする防護部材を取り付けたり、切断片を把持するためにウレタンゴムからなる弾性部材を切断刃の近くに設けるという方法がとられていた（特公平７−４１４６２号）。
【０００６】
しかしながら、防護部材を特別に取り付けたものは、それが作業に邪魔になり、作業効率を低下させたり、切断片の衝突による衝撃音がうるさい、コンクリート面から突出している棒状部材部分が長い場合には使用困難となるなど問題があった。
【０００７】
またウレタンゴムを装着する構造のものは、ウレタンゴムの劣化損傷により、長期の使用が困難であり、また切断すべき棒状部材の径が変わった場合などには確実に把持することが困難であった。
【特許文献１】特公平７−４１４６２号
【発明の開示】
【発明が解決しようとする課題】
【０００８】
本発明は、上記の点を考慮してなされたものであり、簡単な構造で確実に棒状部材の切断片を把持することができる切断刃およびその切断刃を装着した切断装置を提供することを目的とする。
【課題を解決するための手段】
【０００９】
上記目的を達成するために、請求項１記載の発明は、切断部が互いに当接する位置まで移動する一対の鉄筋棒状部材切断刃において、前記一対の棒状部材切断刃は、水平面に対し角度θ＋αを有する第１の傾斜面が形成された略台形状のブロックの、前記第１の傾斜面の下方部分を削除して、前記削除された部分に角度θの第２の傾斜面を有する切断部と、第１の傾斜面の途中の、前記切断部から切断される棒状部材の軸線方向に離れた位置に、前記切断部が互いに当接したとき、切断される棒状部材の一部に食い込む突部が一体的に形成されていることを特徴としている。
【００１０】
また請求項２記載の発明は、一対の突部を、一対の切断部が互いに当接したとき、相対向する位置で所定の間隔を有するように設けたことを特徴としている。
【００１１】
また請求項３記載の発明は、突部を、切断される棒状部材の軸線方向に互いに間隔をおいて複数設けたことを特徴としている。
【００１２】
また請求項４記載の発明は、複数の突部を、切断部から、切断される棒状部材の軸線方向に遠ざかるに従い、その相対向する間隔が大きくなるように設けたことを特徴としている。
【００１３】
また請求項５記載の発明は、傾斜面の角度θが２０−４０度であることを特徴としている。
【００１４】
また請求項６記載の発明は、突部が切断部と一体的に形成されていることを特徴としている。
【００１７】
また請求項６記載の発明は、鉄筋棒状部材切断装置であり、水平面に対し角度θ＋αを有する第１の傾斜面が形成された略台形状のブロックの、前記第１の傾斜面の下方部分を削除して、前記削除された部分に角度θの第２の傾斜面を有する切断部と、第１の傾斜面の途中の、前記切断部から切断される棒状部材の軸線方向に離れた位置に、前記切断部が互いに当接したとき、切断される棒状部材の一部に食い込む突部が一体的に形成された一対の鉄筋棒状部材切断刃が装着されたものからなることを特徴としている。
【００１８】
また請求項７記載の発明は、一対のアームが携帯可能な油圧作動装置により駆動され
ることを特徴としている。
【発明の効果】
【００１９】
請求項1記載の発明によれば、切断刃は、水平面に対し角度θ＋αを有する第１の傾斜面が形成された略台形状のブロックの、第１の傾斜面の下方部分を削除して、削除された部分に角度θの第２の傾斜面を有する切断部と、第１の傾斜面の途中に突部とを形成してなるので、切断時に切断部の上方部分の鉄筋棒状部材の一部が、削除された空間部分に入り込み、突部と上下に挟まれた状態になるので、切断片の上方への飛び出しを確実強固に阻止することができる。
【００２０】
請求項２記載の発明によれば、一対の突部を、一対の切断部が互いに当接したとき、相対向する位置で所定の間隔を有するように設けているので、棒状部材の径に対応して突部を好適な深さ食い込ませることができ、切断片を確実に把持することができる。
【００２１】
請求項３記載の発明によれば、突部を、切断される棒状部材の軸線方向に互いに間隔をおいて複数設けているので、切断される棒状部材の径が変わった場合でも、その径に応じた位置にある突部により好適に食い込み作用を生じさせ、確実に把持することができる。
【００２２】
請求項４記載の発明によれば、複数の突部を、切断部から、切断される棒状部材の軸線方向に遠ざかるに従い、その相対向する間隔が大きくなるように設けてあるので、切断される棒状部材の径が小さいときは、切断部に近い位置の突部により把持し、径が大きいときは切断部から遠ざかった位置にある突部により、切断片をそれぞれ確実に把持することができる。
【００２３】
請求項５記載の発明によれば、傾斜面の角度θが２０−４０度であるので、切断刃の強度を大きくとれ、鉄筋のように堅い材質の棒状部材を確実に切断することができる。
【００２４】
請求項６記載の発明によれば、突部が切断部と一体的に形成されているので、切断刃の構造が簡単でかつ強度の高いものを容易に得ることができる。
【００２７】
請求項６記載の発明によれば、一対の互いに近づく方向に往復移動するアームの先端部
に上記した本発明による切断刃が装着されているので、棒状部材を切断した際、切断片が
飛び散ることが無く、安全に切断作業することができる。
【００２８】
請求項７記載の発明によれば、一対のアームが携帯可能な油圧作動装置により駆動さ
れるので棒状部材の切断作業を作業現場で容易に行うことができる。
【発明を実施するための最良の形態】
【００２９】
以下図面を参照して本発明の最良の実施形態を説明する。
【実施例１】
【００３０】
図１―４は本発明の実施例１を説明する図である。図１には実施例１による切断刃の外観が示されている。また図２には切断刃の断面構造が示されている。
【００３１】
切断刃１は、水平面２を有する略台形状ブロックからなり、水平面２に対し角度θ＋αを有する第１の傾斜面３を有している。そしてこの第１の傾斜面３の下方部分を削除して窪み部４が形成されている。
【００３２】
この窪み部４には、水平面２から角度θを有する第２の傾斜面５が形成され、この傾斜面５の先端に切断部６が形成されている。切断部６は、切断時の衝撃に耐えられるよう、所定の厚みｈを有している。また窪み部４と第１の傾斜面３とが交差する部分に突部７が形成されている。
【００３３】
切断刃１の後方側の凹部８は、切断刃１を切断装置に装着するために用いられるものである。
【００３４】
角度θは、切断すべき棒状部材の材質、径などにより異なるが、コンクリートに植設される鉄筋の切断に使用する場合には、２０−４０度が好ましい。本実施例では角度θは３０度を採用している。また、角度αは、切断すべき棒状部材の材質、径などにより定まり、本実施例では３０度を採用している。
【００３５】
第１の傾斜面３を削除する大きさ、すなわち削除により形成される窪み部４の大きさは、切断すべき棒状部材の径により定まる。すなわち棒状部材の径が大きいときは、窪み部４も大きくなり、棒状部材の径が小さいときは窪み部４を小さくする。
【００３６】
このことを、第２図を参照してさらに説明すれば、切断部６から突部７までの距離ｓが大きければ、窪み部４も大きくなり、また相対向する位置にある突部７の間隔も大きくなる。これは径の大きい棒状部材を把持するのに適している。逆に距離ｓを小さくすれば、窪み部４は小さくなり、相対向する位置にある突部７の間隔は小さくなる。これは径の小さい棒状部材を把持するのに適している。
【００３７】
次に図３および４を用いて、本実施例の作用について説明する。
【００３８】
図３は、本実施例による一対の切断刃１を、切断すべき棒状部材Ｐを間にして相対向する位置に配置した状態を示している。この状態では、切断刃１の水平面２は、コンクリート面（図示せず）にほぼ沿った位置に配置されている。
【００３９】
図４は、本実施例による一対の切断刃１により棒状部材Ｐを切断した状態を示している。すなわち、一対の切断刃１の切断部６が互いに当接した状態にあり、これにより棒状部材Ｐは、切断片Ｐ１とコンクリート内に残る部分Ｐ２とに分離される。この場合、切断部６の上方にある突部７が、切断片Ｐ１の一部に食い込み、また切断片Ｐ１の一部が窪み部４に入り込んだ状態となっている。
【００４０】
これにより切断片Ｐ１は、切断刃１の切断部６と突部７とにより強固に把持された状態となり、切断時に上方向の分力が作用するにもかかわらず、切断片Ｐ１が上方に飛び出すことがない。
【００４１】
図５は、本発明の実施例２に係わる切断刃を示す図である。
【００４２】
図５には、切断される棒状部材の軸線方向に、互いに間隔をおいて２つの突部１７，１８が設けられた切断刃１０が示されている。この実施例２による切断刃１０は、第１の傾斜面１１を有する略台形状のブロックの、前記第１の傾斜面１１に軸線方向に間隔をおいて２つの窪み部１４，１９を形成し、水平面１２に近い側の下方側窪み部１４に、θの傾斜角度を有する第２の傾斜面１５を、その上方に第３の傾斜面１３を形成した構造となっている。
【００４３】
第２の傾斜面１５の先端には切断部１６が形成され、２つの窪み部１４，１９の間には第１の突部１７が形成されている。また、上方の窪み部１９と第１の傾斜面１１との交差する部分に第２の突部１８が形成されている。
【００４４】
この実施例によれば、一対の切断刃１０を相対向する位置に配置した場合、相対向する位置にある第１の突部１７の間隔の方が、第２の突部１８の間隔より小さい。
【００４５】
従ってこの実施例によれば、径の小さい棒状部材の場合には、切断部１６に近い側にある第１の突部１７により切断片を把持し、径の大きい棒状部材の場合には、切断部１６から離れた位置にある第２の突部１８により切断片を把持することができる。
【００４６】
すなわち棒状部材を切断する場合、径が太いものは切断時に作用する力が大きく、切断部１６に近い位置にある第１の突部１７のみでは確実に切断片を把持することが困難であり、切断部１６から離れた位置にある第２の突部１８によって把持する必要があるが、径の小さい棒状部材の場合には、作用する切断力も小さいので第１の突部１７のみによっても確実に把持することができる。
【００４７】
このように本実施例による切断刃１９によれば、径の異なる棒状部材を同一の切断刃１０を用いて切断しても、いずれの切断片も確実に把持することができる。
【００４８】
図６−図９は、実施例２に示した切断刃１０を装着した棒状部材切断装置の一実施例を示す図である。
【００４９】
図６は、棒状部材切断装置２０の全体を示す斜視図であり、棒状部材切断装置２０は、実施例２に示した切断刃１０が、公知の携帯用油圧作動装置２６により駆動される一対のアーム２１に装着されたものからなっている。
【００５０】
図７および図８は、切断刃１０の装着状態を示す部分断面図である。一対のアーム２１は、図８に示すように、水平部２１ａと傾斜部２１ｂとからなり、この水平部２１ａの相対向する位置に、切断刃１０がそれぞれ装着されている。また傾斜部２１ｂには、揺動軸に挿入される開口２２，後述するローラ２３が装着される孔２７が設けられている。
【００５１】
一対のアーム２１は、図７に示すように、携帯用油圧作動装置２６の先端部に揺動軸２２ａを中心に互いに近づく方向に揺動するよう取り付けられている。また、傾斜部２１ｂの端部に設けられた孔２７にローラ２３が回転可能に装着され、この一対のローラ２３の間に、携帯用油圧作動装置２６によって往復駆動されるピストン２４が挿入されることにより、アーム２１の揺動作用が行われるようになっている。
【００５２】
図７において符号２５は、アーム２１を開いた位置に自動復帰させるリターンスプリングを示している。
【００５３】
このような構造からなる棒状部材切断装置２０を用いて、図６に示すような、コンクリート面Ｃから突出している棒状部材（鉄筋）Ｐを切断する場合には、アーム２１の水平部２１ａをコンクリート面Ｃに沿わせ、切断刃１０の水平面１２をできるだけコンクリート面Ｃに近づけて、棒状部材Ｐを挟み込む。
【００５４】
続いて、携帯用油圧作動装置２６を作動させて、一対のアーム２１を互いに近づく方向に揺動させると、棒状部材Ｐは一対の切断刃１０により切断される。図９はその切断が終了した時点を示している。図９に示すように、棒状部材Ｐは、互いに当接した一対の切断部１６により、切断片Ｐ１と残留部Ｐ２とに分離される。
【００５５】
このとき、切断片Ｐ１は、第１の突部１７および第２の突部１８により把持されており、切断片Ｐ１が上方に飛び出すことはない。切断が終了した後、油圧作動装置を作動して再び一対のアーム２１を開放することにより、切断片Ｐ１を切断刃１０から除去することができる。
【００５６】
図１０は、本発明の実施例３に係わる切断刃を示す図である。
【００５７】
この実施例による切断刃３０は、傾斜面３５の先端に切断部３６が形成された切断ブロック３１の上に、傾斜面３３の先端に突部３７が形成された把持ブロック３４が取り付けられた構造となっている。
【００５８】
すなわち水平面３２に対し角度θを有して形成された傾斜面３５の上方部に、垂直壁３１ａを有する段部が形成され、この段部に把持ブロック３４が取り付けられている。
【００５９】
この実施例によれば、把持ブロック３４の寸法を変えることにより、剪断部３６に対する突部３７の位置を最適な位置に調整することができる。例えば、径の大きい棒状部材を切断する場合には、相対向する位置にある突部３７の間隔を大きくするよう把持ブロック３４の形状寸法を小さくし、径の小さい棒状部材を切断する場合には、相対向する位置にある突部３７の間隔を小さくするように把持ブロック３４の形状寸法を大きくすればよい。
【００６０】
本実施例による切断刃３０も、前記した実施例と同様に、切断時に切断片を突部３７で把持し、切断片の飛び出しを防止することができる。
【００６１】
なお、前記した実施例では、突部を１または２個設けた例を示したが、突部を３個以上設けても良い。
【産業上の利用可能性】
【００６２】
以上説明したように、本発明によれば、切断刃の切断部が互いに当接して棒状部材が切断されたとき、突部が切断された棒状部材の一部に食い込んでいるので、切断片が突部で把持され、外方へ飛び散ることがないという優れた効果を奏する。
【００６３】
本発明は、棒状部材の切断部が傾斜面の先端に形成されているような、切断時に切断力の分力により切断片が外方へ飛び散る恐れのある切断刃およびその切断刃を装着した切断装置に適用することができる。とりわけ、コンクリートに植設された鉄筋を、コンクリート面から突出した残部を残すことなく切断する切断装置に適用した場合、特に優れた効果を奏する。
【図面の簡単な説明】
【００６４】
【図１】本発明の実施例１による切断刃を示す外観斜視図。
【図２】図１に示した切断刃の構造を示す側断面図。
【図３】図１に示す一対の切断刃を、相対向する位置に配置した例を示す説明図。
【図４】図１に示す切断刃を用いて棒状部材を切断した際の状態を示す説明図。
【図５】本発明の実施例２による切断刃を示す外観斜視図。
【図６】本発明の実施例２の切断刃を装着した切断装置の一実施例を示す外観斜視図。
【図７】図６に示した切断装置の切断刃装着付近を示す部分断面図。
【図８】本発明の実施例２による切断刃を切断装置のアームに装着した状態を示す外観斜視図。
【図９】図６による切断装置により棒状部材を切断した状態を示す部分正面図。
【図１０】本発明の実施例３による切断刃を示す図。
【符号の説明】
【００６５】
１  切断刃
２  水平面
３  第１の傾斜面
４  窪み部
５  第２の傾斜面
６  切断部
７  突部
１０  切断刃
１６  切断部
１７  第１の突部
１８  第２の突部
２０  切断装置
２１  アーム
２６  油圧作動装置
Ｐ  棒状部材
【図１】
0004813121.tif 000002
【図２】
0004813121.tif 000003
【図３】
0004813121.tif 000004
【図４】
0004813121.tif 000005
【図５】
0004813121.tif 000006
【図６】
0004813121.tif 000007
【図７】
0004813121.tif 000008
【図８】
0004813121.tif 000009
【図９】
0004813121.tif 000010
【図１０】
0004813121.tif 000011